(57)【特許請求の範囲】
【請求項１】
複数の衛生設備機器にそれぞれ接続される排水横枝管と、２つの排水ヘッダーとを備え、一方の排水ヘッダーＡが、固形物を多く含む排水を排出する衛生設備機器に接続された上記排水横枝管と接続され、他方の排水ヘッダーＢが、排水ヘッダーＡに流入する排水よりも固形物が少ない排水を排出する衛生設備機器に接続された排水横枝管と接続され、前記２つの排水ヘッダーが下流にて一つの排水処理槽に接続され、前記２つの排水ヘッダーと、排水処理槽との流路の途中に、各々の排水ヘッダーの下流となる基礎貫通部分が設けられ、この基礎貫通部分が、どちらの排水ヘッダーの下流側とするか識別する識別印を有している排水処理装置。
【請求項２】
請求項１において、固形物を多く含む排水を排出する衛生設備機器が、便器又は厨房流し台であり、それよりも固形物が少ない排水を排出する衛生設備機器が、洗面台、洗濯機又は浴室である排水処理装置。
【請求項３】
請求項２において、厨房流し台からの排水が、ディスポーザ排水を含む排水処理装置。
【請求項４】
請求項１乃至３の何れかにおいて、排水処理槽からの排出経路が、一つである排水処理装置。
【発明の詳細な説明】
【技術分野】
【０００１】
本発明は、一般家庭等から排出される衛生設備機器の排水を処理する、排水処理装置に関する。
【背景技術】
【０００２】
合併処理浄化槽は、複数の衛生設備機器からの排水を、１系統の排水経路に統合して排水処理槽に接続し、排水処理を行うもので、広く普及している。
この１系統の排水経路には、特許文献１に示すような、衛生設備機器の排水を排水横枝管で搬送し、この排水を排水ヘッダーに集約する排水処理装置を使用する場合がある。
また、特許文献２には、汚濁物質濃度の高い排水と汚濁物質濃度の低い排水を単一の排水処理槽内で処理する方法が開示されている。
【特許文献１】特開２００２−１０６０１１
【特許文献２】特開２００２−３３６８８３
【発明の開示】
【発明が解決しようとする課題】
【０００３】
近年、行政庁は、既設の便器排水のみを処理する単独処理浄化槽を、前述した合併処理浄化槽に埋め替えることにより、衛生環境の改善を図ろうとしている。
しかしながら、建屋外には、単独処理浄化槽の２〜３倍の容量を有する合併処理浄化槽に埋め替えるスペース、便器以外の衛生設備機器からの排水管を敷設するスペース等がない場合が多く、衛生環境の改善の妨げになっていた。
【０００４】
本発明は、上記を鑑みて省スペース性の優れた排水処理装置を提供することを目的とする。
【課題を解決するための手段】
【０００５】
（１）本発明は、複数の衛生設備機器にそれぞれ接続される排水横枝管と、２つの排水ヘッダーとを備え、一方の排水ヘッダーＡが、固形物を多く含む排水を排出する衛生設備機器に接続された上記排水横枝管と接続され、他方の排水ヘッダーＢが、排水ヘッダーＡに流入する排水よりも固形物が少ない排水を排出する衛生設備機器に接続された排水横枝管と接続され、前記２つの排水ヘッダーが下流にて一つの排水処理槽に接続され、前記２つの排水ヘッダーと、排水処理槽との流路の途中に、各々の排水ヘッダーの下流となる基礎貫通部分が設けられ、前記基礎貫通部分が、どちらの排水ヘッダーの下流側とするか識別する識別印を有している排水処理装置である。
（２）項（１）において、固形物を多く含む排水を排出する衛生設備機器が、便器又は厨房流し台であり、それよりも固形物が少ない排水を排出する衛生設備機器が、洗面台、洗濯機又は浴室である排水処理装置。
（３）項（２）において、厨房流し台からの排水が、ディスポーザ排水を含む排水処理装置。
（４）（１）乃至（３）の何れかにおいて、排水処理槽からの排出経路が、一つである排水処理装置。
【発明の効果】
【０００６】
本発明によれば、合併処理浄化槽への埋め替えや衛生設備機器からの排水管の敷設に適した省スペース性に優れた排水処理システムを提供することができる。
また、本発明では、基礎貫通部分が、２つ排水ヘッダーのうち、どちらの排水ヘッダーの下流側とするか識別する識別印を有しているので、２つの排水ヘッダーと基礎貫通部分との接続ミスを防止できる。
【発明を実施するための最良の形態】
【０００７】
本発明にて述べる衛生設備機器は、一般に家庭内にて使用されるものであれば特に制限されるものでなく、具体的には、便器、厨房流し台、洗面台、洗濯機、浴室等がある。
また、固形物を多く含む排水を排出する衛生設備機器は、便器、厨房流し台等があり、特に厨房流し台では、近年設置台数が増加しているディスポーザを配置しているものが、固形物の含有量が多い。
固形物の少ない排水を排出する衛生設備機器は、洗面台、洗濯機、浴室等がある。
【０００８】
本発明にて述べる排水ヘッダーは、地上設置されるものであり、一方の排水ヘッダーＡには固形物を多く含む排水を流入させ、他方の排水ヘッダーＢには固形物の少ない排水を流入させる。排水ヘッダーの大きさは、特に制限されるものではないが、床下スペースに格納できる必要がある。
また、排水ヘッダーは、床下に収納スペースを確保し、屋内から蓋等を取り除くことで点検できることが好ましい。
【０００９】
排水ヘッダーの材質は、特に制限されるものではないが、腐食のないものが好ましく、防錆処理を施した金属、又は、合成樹脂製の成形品を用いることが好ましい。
また、排水ヘッダーの頂部には、点検口又は点検窓を設けることが好ましく、必要に応じて排水ヘッダーの内部を点検、清掃できるようにすることが好ましい。
【００１０】
本発明にて述べる排水横枝管は、衛生設備機器と、排水ヘッダーとを連通させるものであり、排水流路を形成し、腐食のないものであれば適宜使用することができる。
また、その途中にて、配管分離、統合、エルボを使用しての曲げ等を行ってもよい。
更に、排水横枝管は、他の排水横枝管と、排水勾配を確保するための交差配管を行ってもよく、このような配管付設を行っても、地上作業であることから、地中埋設作業に比較し、遙かに迅速且つ容易に作業を行うことができる。
【００１１】
本発明にて述べる排水処理槽は、通常用いられている浄化槽を使用することができる。また、固形物の含有量の異なる排水に分離させてあることから、排水処理槽の負荷が軽減され、よりコンパクトな排水処理槽を用いることができると共に、排水処理槽を埋設するスペースの確保も容易なものとなる。
【００１２】
排水ヘッダーと、排水処理槽との間の流路は、直接配管接続しても良いが、地上から地下へと配管を潜らせる部分に、基礎貫通部を設けることが好ましい。
また、基礎貫通部は、どの配管を接続するかが判るように、識別印を設けることが好ましく、識別印としては、色の違い、形状の違い、各種言語の文字の違い等を用いることができる。
【実施例】
【００１３】
以下、本発明の実施例を図面により説明する。
図１は、本発明に係る排水処理装置の一例である。戸建住宅７内に設置された便器２、厨房流し台３から排出される汚水は、床下の空間に敷設された各々の排水横枝管８を通って、同じく床下の地上に敷設された排水ヘッダー１ａに流れ込む。一方、洗面台４、洗濯機５、浴室６から排出される汚水も同様に、各々の排水横枝管８を通って排水ヘッダー１ｂに流れ込む。
【００１４】
便器２からの排水は、大便やトイレットペーパー等の固形物が多く含まれ、厨房流し台３からの排水は、野菜くず等の固形物が多く含まれ、他の衛生設備機器からの排水よりも固形物の含まれる割合が多い。
また、厨房流し台３からの排水には、ディスポーザによって粉砕された生ごみが混入される場合があり、この場合は、さらに固形物の含まれる割合が多くなる。
【００１５】
戸建住宅７内に設置された各衛生設備機器は、住宅毎にその設置位置も違ってくる。このため、各衛生設備機器からの排水経路を２系統にする場合は、排水経路は交差する場合が多い。この排水経路を建屋外に敷設しようとすると、地中での配管交差となるため、配管に高低差をつけなければならず、排水処理槽１０に接続するためには、水勾配が必要なため排水処理槽１０を深く埋めることになり、施工性が悪化する。しかし、本実施例によると、図２に示すように、床下の空間に敷設された各々の排水横枝管８は交差しても、基礎貫通部分９ａ、９ｂ（図１参照）の部分で地中に入るため、排水処理槽１０は深く埋める必要がない。
【００１６】
排水ヘッダー１ａからの排水は、基礎貫通部分９ａを通って排水処理槽１０に、同様に排水ヘッダー１ｂからの排水は、基礎貫通部分９ｂを通って排水処理槽１０に流入する。
また、排水ヘッダー１ａ、１ｂには、各々その頂部に、点検口１９が設けられている。
【００１７】
排水処理において、浄化槽を設置する場合は、建屋内と建屋外では施工業者や施工時期が違う場合がある。このため、排水経路が２系統の場合、基礎貫通部分９ａと排水処理槽接続口１１ａを接続しなければならないのに、間違えて、基礎貫通部分９ａと排水処理槽接続口１１ｂを接続してしまう恐れがある。そこで、各々に識別を付けておくことが望ましい。本実施例では、文字（ＡとＡ、ＢとＢ）により識別を行っている。この時、排水ヘッダーにも同様の識別を入れておくことが好ましい。また、排水ヘッダー１ａに「トイレ、キッチン専用」等の表示をしておく事も接続ミス防止や使用後の点検にも有効である。
【００１８】
図３は、本発明に係る排水処理槽装置の他の実施例である。排水ヘッダー１ａ、１ｂは、後の保守点検を考えれば、１箇所に集中して敷設することが好ましいが、施工上でどうしても１箇所に敷設することができない場合は、別々に敷設することもできる。また、排水横枝管８の距離を出来る限り短くするために、排水ヘッダーを別々の場所に設けるようにしてもよい。
【００１９】
図４は、本発明に係る排水処理槽の一実施例である。排水処理槽接続口１１ａから流入した固形物を多く含む排水は、固液分離槽１２にて固形物と液に分離される。固形物は嫌気処理され、堆積汚泥やスカム化される。この際、浴槽排水や洗濯排水等のピーク負荷は、固液分離槽１２を通過しないため、槽内が撹拌されることなくスカム化が促進される。よって、汚泥濃縮率が高く保たれるため、汚泥貯留容量は少なく設定できる。
【００２０】
一方、排水処理槽接続口１１ｂから流入した固形物が比較的少ない排水は、固液分離槽１２を通過せず、嫌気処理槽１３に流入する。ここで、固液分離槽１２からの流出水と混合して、嫌気処理され、好気処理槽１４に流出する。嫌気処理槽１３は、ピーク負荷がかかるため、流量調整機能を付加したほうが好ましい。
また、流入負荷に応じて、嫌気処理槽１３の上部を好気化させ、汚泥消化させてもよい。
【００２１】
好気処理槽１４で好気処理された処理水は、固液分離槽１５でさらに細かい固形物を分離され、消毒槽１６で消毒された後、流出口１７から放流される。固液分離槽１５で分離された固形物は、循環装置１８によって、上流の固液分離槽１２に戻される。この際、硝化液も同時に戻されるため、固液分離槽１２では脱窒反応が起こる。
【図面の簡単な説明】
【００２２】
【図１】本発明の１実施例である排水処理装置の概略平面図である。
【図２】本発明に用いる排水ヘッダーの拡大斜視図である。
【図３】本発明の他の実施例である排水処理装置の概略平面図である。
【図４】本発明に用いる排水処理槽を示す概略透視平面図である。
【符号の説明】
【００２３】
１ａ、１ｂ…排水ヘッダー、２…便器、３…厨房流し台、４…洗面台、５…洗濯機、６…浴室、７…戸建住宅、８…排水横枝管、９ａ、９ｂ…基礎貫通部分、１０…排水処理槽、１１ａ、１１ｂ…排水処理槽接続口、１２…固液分離槽、１３…嫌気処理槽、１４…好気処理槽、１５…固液分離槽、１６…消毒槽、１７…流出口、１８…循環装置、１９…点検口
【図１】
0004584098.tif 000002
【図２】
0004584098.tif 000003
【図３】
0004584098.tif 000004
【図４】
0004584098.tif 000005